【手続補正書】
【提出日】平成16年12月14日(2004.12.14)
【手続補正１】
【補正対象書類名】明細書
【補正対象項目名】全文
【補正方法】変更
【補正の内容】
【書類名】      明細書
【発明の名称】  パチンコ機の製造ライン
【特許請求の範囲】
【請求項１】  パチンコ機の前枠をコンベアで搬送しつつその前枠に各種部品を取り付け、必要に応じてネジ締め装置でネジ締めするようにしたパチンコ機の製造ラインにおいて、
前枠の種類を選択する選択手段を設け、その選択手段の入力により前記ネジ締め装置の締付トルクを前枠の種類に合わせて切り替え得るようにしたことを特徴とするパチンコ機の製造ライン。
【請求項２】  前記選択手段は、前枠の材質により選択するものであることを特徴とする請求項１記載のパチンコ機の製造ライン。
【請求項３】  前記ネジ締め装置を複数個設置してそのうちの何れかに前記選択手段を設けると共に該選択手段を設けたネジ締め装置に、前枠自体に直接ネジを締め付けて固定する部品類のネジ締めを集中させるようにしたことを特徴とする請求項１又は２記載のパチンコ機の製造ライン。
【発明の詳細な説明】
【０００１】
【発明の属する技術分野】
本発明は、パチンコ機を製造するための製造ラインに関する。
【０００２】
【従来の技術】
一般にパチンコ機Ｐは、図２に示したように、外枠１の正面に窓穴２を有する前枠３があり、その前枠３の窓穴２のほぼ上半部に、片開きのドア状に開閉自在な状態でガラス扉枠４が取り付けられている。また、前枠３の窓穴２のほぼ下半部には、上球皿５の取付ベースとなる前面板６が片開きのドア状に開閉自在な状態で取り付けられている。その他、図２中、７は前枠３に取り付けた下球皿ユニット、８は窓穴２を縁取る金枠、９は遊技板である。なお、パチンコ機Ｐの前枠３には前記以外にも図示しないが遊技板９を固定するための桟枠や打球発射装置など多くの部品がネジ止めされている。
【０００３】
しかしてパチンコ機Ｐの製造は、前枠３をコンベアで搬送しつつその前枠３に各種部品を順番に取り付け、必要に応じてネジ締めロボットやハンディタイプのエア駆動式ネジ締め工具等のネジ締め装置でネジ止めするようにしていた。
【０００４】
【発明が解決しようとする課題】
これまでパチンコ機Ｐの前枠３は木製が主流であったが、近年合成樹脂製の前枠３が普及しつつある。木製の前枠３と合成樹脂製の前枠３はネジの締付トルクが異なるのであって、木製の前枠３の方が合成樹脂製の前枠３より大きな締付トルクを必要とする。従って、木製の前枠３に対応する製造ラインではネジの締付トルクが大きすぎて合成樹脂製の前枠３が扱えず、また、合成樹脂製の前枠３に対応する製造ラインではネジの締付トルクが小さすぎて木製の前枠３が扱えない。
【０００５】
ところでパチンコ機Ｐは全ての機種を大量生産するとは限らない。例えば新機種の開発に際して少量をサンプル出荷したい場合や、旧型の機種を少量受注してそれを生産する場合などがある。この場合、現在稼働中の製造ラインで製造している機種の前枠３と少量生産の対象となる機種の前枠３の材質が一致すれば稼働中の製造ラインを使って一時的な割り込み生産も可能であるが、それが一致しない場合には上記した締付トルクの相違が障害となって対応が難しい。
【０００６】
本発明は上記に鑑みなされたもので、その目的は複数種類の前枠に対応可能なパチンコ機の製造ラインを提供することにある。
【０００７】
【課題を解決するための手段】
上記の目的を達成するため本発明は、パチンコ機の前枠をコンベアで搬送しつつその前枠に各種部品を取り付け、必要に応じてネジ締め装置でネジ締めするようにしたパチンコ機の製造ラインにおいて、前枠の種類を選択する選択手段を設け、その選択手段の入力により前記ネジ締め装置の締付トルクを前枠の種類に合わせて切り替え得るようにしたパチンコ機の製造ラインを提供する。
【０００８】
ネジ締め装置の締付トルクが選択手段を使用することにより前枠の種類に合わせて切り替わるから、異なる種類の前枠を使ったパチンコ機を一時的に割り込ませて製造することができる。
【０００９】
【発明の実施の形態】
以下に本発明の実施の形態を図面を参照しつつ説明する。なお、図１は製造ラインを示す概略の斜視図である。
【００１０】
図１に示したようにパチンコ機Ｐの製造ライン１０は、コンベア１１の始端部から順に、前枠３をコンベア１１上に供給する移送工程Ａ、前枠３に金枠８を取り付ける金枠取付工程Ｂ、下球皿ユニット７を取り付ける下球皿ユニット取付工程Ｃ、前枠３を裏返しに反転させる前枠反転工程Ｄ、遊技板９取付用の桟枠を前枠３の裏面に取り付ける桟枠取付工程Ｅ、その桟枠に遊技板９を嵌め込む遊技板装着工程Ｆ、前枠３に機構板を取り付ける機構板取付工程Ｇ、前枠３を垂直に起立させる前枠起立工程Ｈ、前枠３に前面板６を取り付ける前面板取付工程Ｊ、部品の取り付けが完了した前枠３を検査する検査工程Ｋ、前枠３を外枠１に組み付ける外枠組み付け工程Ｌ、製品を袋詰めにする梱包工程Ｍとから概略構成される。
【００１１】
前記コンベア１１には前枠３に取り付けた各種部品を自動的にネジ止めするネジ締めロボットやハンディタイプのエア駆動式ネジ締め工具（図示せず）等のネジ締め装置１２が設けられている。
【００１２】
しかして製造ライン１０にはコンベア１１沿いの位置に前記ネジ締め装置１２の締付トルクを切り替えるための選択スイッチ形式の選択手段１３が設けられている。選択手段１３は、例えば木製の前枠と合成樹脂製の前枠の何れか一方をマニュアルで選択するもので、図１に示したように操作盤１４にボタン１３Ｗ，１３Ｐを二つ並設し、その各ボタン１３Ｗ，１３Ｐに「木枠」と「プラ枠」のように識別表示１５を具体的に表示する。なお、識別表示１５の表示場所はボタン１３Ｗ，１３Ｐ自体に直接記入するか或いはボタン１３Ｗ，１３Ｐの周りの操作盤１４に記入する。
【００１３】
前記選択手段１３は全てのネジ締め装置１２に個々に設ける必要はなく、製造ライン１０の中の一つのネジ締め装置１２に設置するようにしてもよい。この場合には例えば前記桟枠や打球発射装置のように前枠３自体に直接ネジを締め付けて固定する部品類のネジ締めを、選択手段１３とリンクするネジ締め装置１２に集中させればよい。もっとも選択手段１３とリンクするネジ締め装置１２が多いほど製造ライン１０の工程組み替えの自由度は高くなる。
【００１４】
ネジ締め装置１２の締付トルクの切り替えは、ソフト的に行う方法とハード的に行う方法の何れでもよい。すなわちソフト的に行う方法は、ネジ締め装置１２の制御プログラムに例えば木製の前枠３に対応する締付トルクと合成樹脂製の前枠３に対応する締付トルクの数値情報を入力しておき、選択手段１３の入力で対応する締付トルクの数値を読み出すようにしておく。一方、ハード的に行う方法はネジ締め装置１２のネジ締めの駆動源が例えばエアコンプレッサである場合、選択手段１３の入力でネジ締め装置１２に対応する流量調節バルブの流量を切り替えて前枠３の種類に対応する締付トルクを選択するようにすればよい。
【００１５】
次に本発明の製造ライン１０の使用方法について説明する。なお、図１の製造ライン１０は木製の前枠３を使用したパチンコ機Ｐを対象として現在稼働しているものとし、それに合わせてネジ締め装置１２の選択手段１３は「木枠」のボタン１３Ｗが選択されている。
【００１６】
さてそこで上記の製造ライン１０を使って合成樹脂製の前枠３を使用する限定機種のパチンコ機を少量だけ割り込み生産する必要が生じたものとすると、先ずネジ締め装置１２の選択手段１３のボタン１３Ｗ，１３Ｐから「プラ枠」のボタン１３Ｐを選択する。そうするとネジ締め装置１２の締付トルクが合成樹脂製の前枠３に対応可能なように所定のレベルまで低下する。従って合成樹脂製の前枠３に適合するつまり前枠３を損傷させない程度の適正な締付トルクでネジを締め付けることができる。
【００１７】
次に限定機種の生産が完了した後、元の機種の生産に戻す場合は、選択手段１３のボタン１３Ｗ，１３Ｐから「木枠」のボタン１３Ｗを選択する。
【００１８】
また、選択手段１３の作動条件にカウント情報を付加することも可能である。すなわち、例えば「１５番目のワークから７台分」或いは「１５番目から２１番目」という形でカウント情報を入力し、設定したタイミングで設定台数分だけ自動的に締付トルクを切り替える。選択手段１３とリンクするネジ締め装置１２が複数設けられている場合、上流のネジ締め装置１２から順次締付トルクが切り替わり、設定数が通過したネジ締め装置１２から順次元の締付トルクに復帰する。
【００１９】
以上本発明を実施の形態について説明したが、もちろん本発明は上記実施形態に限定されるものではない。例えば実施形態の製造ライン１０の工程内容や工程順は自由に変更可能である。また、実施形態では選択手段１３に二つのボタン１３Ｗ，１３Ｐを設けたが、この実施形態のように木製の前枠と合成樹脂製の前枠の二者択一である場合は前記ボタンは一つでも対応できる。すなわち選択手段１３のボタンを例えば合成樹脂製の前枠用に一つだけ設置し、そのボタンがＯＮなら合成樹脂製の前枠、ＯＦＦなら木製の前枠というように締付トルクを切り替えればよい。
【００２０】
また、実施形態では木製の前枠と合成樹脂製の前枠の何れかを選択するようにしたが、前枠の種類に応じて選択数は任意に設定し得る。なお、前枠の種類としては、木、合成樹脂の他、木と合成樹脂の混合材（木質の繊維や粉を合成樹脂で固めた成型品や板）、紙、金属などがあり、また、合成樹脂同士でも硬度や構造等が相違すれば異種の前枠として選択の対象となる。
【００２１】
また、実施形態ではライン作業者が選択手段１３たる選択スイッチをマニュアル操作することにより前枠の種類を切り替えたが、例えば製造ラインのメインコンピュータに一日の生産予定を予め入力しておき、前枠の種類に応じて自動的に締付トルクを切り替えるようにしてもよい。
【００２２】
【発明の効果】
本発明の製造ラインは、ネジ締め装置の締付トルクが選択手段を使用することにより前枠の種類に合わせて切り替わるため、種類の異なる前枠を使ったパチンコ機を一時的に割り込ませて製造することができ、従って一つの製造ラインで多品種・少量生産の製造が可能である。
【図面の簡単な説明】
【図１】  製造ラインを示す概略の斜視図である。
【図２】  木製の前枠を使用したパチンコ機の正面図である。
【符号の説明】
Ｐ  …パチンコ機
３  …前枠
１０…製造ライン
１１…コンベア
１２…ネジ締め装置
１３…選択手段